(57)【要約】【課題】ガス器具の使用判断やガス漏れ判断にあたり、判断精度の低下を防止することが可能な判断装置及びその圧力値補正方法を提供する。【解決手段】ガスメータ４０は、記憶部４７ａにより記憶された各時刻の圧力値のうち、圧力変動の補正開始点と補正終了点とを開始点決定部４７ｃ及び終了点決定部４７ｄにより定める。また、マイコン４７の補正基準値生成部４７ｅは、決定された補正開始点と補正終了点とに基づいて各時刻における補正基準値を生成し、補正部４７ｆは、記憶部４７ａにより記憶された各時刻における圧力値から、生成された同時刻における補正基準値を減じることで補正する。【選択図】図３
2010139282.tif 000002
【特許請求の範囲】
【請求項１】
検出された各時刻の圧力値に基づいてガス器具の使用及びガス漏れを判断する判断装置であって、
検出された各時刻の圧力値を記憶する記憶手段と、
前記記憶手段により記憶された各時刻の圧力値のうち、圧力変動の補正開始点を定める開始点決定手段と、
前記記憶手段により記憶された各時刻の圧力値のうち、圧力変動の補正終了点を定める終了点決定手段と、
前記開始点決定手段により決定された補正開始点と前記終了点決定手段により決定された補正終了点とに基づいて、各時刻における補正基準値を生成する補正基準値生成手段と、
前記記憶手段により記憶された各時刻における圧力値から、前記補正基準値生成手段により生成された同時刻における前記補正基準値を減じることで補正する補正手段と、
を備えることを特徴とする判断装置。
【請求項２】
前記開始点決定手段は、圧力変動の発生時の圧力値と、圧力変動の発生時の時刻とから、補正開始点を決定する
ことを特徴とする請求項１に記載の判断装置。
【請求項３】
前記終了点決定手段は、圧力検出を開始してから予め定められた圧力検出時間が経過した時点付近の平均圧力値と、前記圧力検出時間が経過した時点の時刻とから、補正終了点を決定する
ことを特徴とする請求項１又は請求項２のいずれかに記載の判断装置。
【請求項４】
前記終了点決定手段は、検出された圧力の変化量が所定値以下となった時点付近の平均圧力値を示す終了点補正圧力値と、検出された圧力の値が、前記補正開始点以後最初に終了点補正圧力値に達した時刻、又は、検出された圧力の移動平均値が、前記補正開始点以後最初に終了点補正圧力値に達した時刻とから、補正終了点を決定する
ことを特徴とする請求項１又は請求項２のいずれかに記載の判断装置。
【請求項５】
前記終了点決定手段は、検出された圧力の変化量が所定値以下となった時点付近の平均圧力値を示す終了点補正圧力値と、予め特定時刻を定めておき、検出された圧力の値が、前記特定時刻の最も近くで終了点補正圧力値に達した時刻、又は、検出された圧力の移動平均値が、前記特定時刻の最も近くで終了点補正圧力値に達した時刻とから、補正終了点を決定する
ことを特徴とする請求項１又は請求項２のいずれかに記載の判断装置。
【請求項６】
前記補正基準値生成手段は、前記記憶手段により記憶された圧力値とその圧力値が得られた時刻との相関を示すグラフ上において、前記開始点決定手段により決定された補正開始点と前記終了点決定手段により決定された補正終了点とを結ぶ直線上の値を各時刻における補正基準値として生成し、
前記補正手段は、前記記憶手段により記憶された各時刻における圧力値から、同時刻における前記直線上の値を減じることで補正する
ことを特徴とする請求項１から請求項５のいずれか１項に記載の判断装置。
【請求項７】
前記補正基準値生成手段は、前記開始点決定手段により決定された補正開始点と前記終了点決定手段により決定された補正終了点との中間地点の時刻、及びこの時刻付近の平均圧力値とから中間点を求め、前記記憶手段により記憶された圧力値とその圧力値が得られた時刻との相関を示すグラフ上において、補正開始点、中間点及び補正終了点を結ぶ曲線上の値を各時刻における補正基準値として生成し、
前記補正手段は、前記記憶手段により記憶された各時刻における圧力値から、同時刻における前記曲線上の値を減じることで補正する
ことを特徴とする請求項１から請求項５のいずれか１項に記載の判断装置。
【請求項８】
前記補正基準値生成手段は、前記開始点決定手段により決定された補正開始点と前記終了点決定手段により決定された補正終了点との間で計測された全圧力値のデータから、前記補正開始点を通る近似式を求め、この近似式上の値を各時刻における補正基準値として生成し、
前記補正手段は、前記記憶手段により記憶された各時刻における圧力値から、同時刻における前記近似式上の値を減じることで補正する
ことを特徴とする請求項１から請求項５のいずれか１項に記載の判断装置。
【請求項９】
前記補正基準値生成手段は、前記補正開始点以前及び前記補正終了点以後の少なくとも一方についても補正基準値を求め、前記補正開始点以前の補正基準値を求める場合には、前記グラフ上において前記補正開始点における圧力値を維持する直線上の値を補正基準値として生成し、前記補正終了点以後の補正基準値を求める場合には、前記グラフ上において前記補正終了点における圧力値を維持する直線上の値を補正基準値として生成する
ことを特徴とする請求項６から請求項８のいずれか１項に記載の判断装置。
【請求項１０】
検出された各時刻の圧力値に基づいてガス器具の使用及びガス漏れを判断する判断装置の圧力値補正方法であって、
検出された各時刻の圧力値を記憶する記憶工程と、
前記記憶工程において記憶された各時刻の圧力値のうち、圧力変動の補正開始点を定める開始点決定工程と、
前記記憶工程において記憶された各時刻の圧力値のうち、圧力変動の補正終了点を定める終了点決定工程と、
前記開始点決定工程において決定された補正開始点と前記終了点決定工程において決定された補正終了点とに基づいて、各時刻における補正基準値を生成する補正基準値生成工程と、
前記記憶工程により記憶された各時刻における圧力値から、前記補正基準値生成工程により生成された同時刻における前記補正基準値を減じることで補正する補正工程と、
を有することを特徴とする判断装置の圧力値補正方法。
【発明の詳細な説明】
【技術分野】
【０００１】
本発明は、判断装置及びその圧力値補正方法に関する。
【背景技術】
【０００２】
従来、ガスメータを介してガス器具に燃料ガスを供給するガス供給システムが知られている。このガス供給システムでは、ガス供給容器の出口などに調圧弁が設置されている。調圧弁は、下流側の圧力を例えば２．９ｋＰａ程度の一定値に保つように機能している（例えば特許文献１参照）。
【特許文献１】特開２００１−１８８０２０号公報
【発明の開示】
【発明が解決しようとする課題】
【０００３】
ここで、本件出願人は、特願２００８−８６０２２の技術を発明している。この発明では、ガス圧力に基づいてガバナ付きガス器具が使用されたか、ガバナ無しガス器具が使用されたか、及び、ガス漏れが発生しているか否かを判断するようになっている。
【０００４】
ところが、特許文献１に記載のガス供給システムでは、日中や夜間の温度変化によってガス管内のガス圧力が上昇してしまう。すなわち、日中にガスを未使用状態で放置しているとガス管内の温度が上昇し、調圧弁からガス器具までのガス管内の圧力が上昇してしまう。圧力は、日中に約３℃温度が上昇することで１ｋＰａ程度上昇し、場合によってガス管内の圧力は４ｋＰａに達する可能性もある。そして、ガス管内のガス圧力が上昇してしまうと、特願２００８−８６０２２の技術のようにガス圧力に基づいてガバナ付きガス器具が使用されたか否かなどを判断する場合に判断精度の低下を招いてしまう。なお、本明細書では特願２００８−８６０２２の一部技術を説明しているが、この説明は特願２００８−８６０２２の技術の公知性を認めるものではない。
【０００５】
本発明はこのような従来の課題を解決するためになされたものであり、その目的とするところは、ガス器具の使用判断やガス漏れ判断にあたり、判断精度の低下を防止することが可能な判断装置及びその圧力値補正方法を提供することにある。
【課題を解決するための手段】
【０００６】
本発明の判断装置は、検出された各時刻の圧力値に基づいてガス器具の使用及びガス漏れを判断する判断装置であって、検出された各時刻の圧力値を記憶する記憶手段と、前記記憶手段により記憶された各時刻の圧力値のうち、圧力変動の補正開始点を定める開始点決定手段と、前記記憶手段により記憶された各時刻の圧力値のうち、圧力変動の補正終了点を定める終了点決定手段と、前記開始点決定手段により決定された補正開始点と前記終了点決定手段により決定された補正終了点とに基づいて、各時刻における補正基準値を生成する補正基準値生成手段と、前記記憶手段により記憶された各時刻における圧力値から、前記補正基準値生成手段により生成された同時刻における前記補正基準値を減じることで補正する補正手段と、を備えることを特徴とする。
【０００７】
この判断装置によれば、各時刻の圧力値のうち、圧力変動の補正開始点と補正終了点とを求め、これら補正開始点と補正終了点とに基づいて各時刻における補正基準値を求め、各時刻の圧力値から同時刻の補正基準値を減じることで補正する。ここで、ガス器具の使用やガス漏れが発生した場合、元圧から或る安定した圧力まで圧力値は低下する。配管内の圧力が上昇している場合とそうでない場合とでは、この低下成分に相異が生じる。そこで、上記補正開始点及び補正終了点を求めることにより、低下成分の始点と終点とを求めることとなる。そして、低下成分の始点と終点とから各時刻における補正基準値を求め、記憶された各時刻における圧力値から減じることで、配管内の圧力が上昇している場合とそうでない場合とで相異する低下成分をキャンセルすることとなる。これにより、補正後の各時刻における圧力値は、ガス管内の圧力が上昇している場合とそうでない場合とで似たものとすることができる。従って、ガス器具の使用判断やガス漏れ判断にあたり、低下成分の影響を受け難くなり、判断精度の低下を防止することができる。
【０００８】
また、本発明の判断装置において、開始点決定手段は、圧力変動の発生時の圧力値と、圧力変動の発生時の時刻とから、補正開始点を決定することが好ましい。
【０００９】
この判断装置によれば、圧力変動の発生時の圧力値と、圧力変動の発生時の時刻とから、補正開始点を決定するため、複雑な演算を行うことなく、補正開始点を決定することができる。
【００１０】
また、本発明の判断装置において、終了点決定手段は、圧力検出を開始してから予め定められた圧力検出時間が経過した時点付近の平均圧力値と、圧力検出時間が経過した時点の時刻とから、補正終了点を決定することが好ましい。
【００１１】
この判断装置によれば、圧力検出を開始してから予め定められた圧力検出時間が経過した時点付近の平均圧力値と、圧力検出時間が経過した時点の時刻とから、補正終了点を決定するため、平均値の演算さえ行えば、複雑な演算を行うことなく、補正終了点を決定することができる。
【００１２】
また、本発明の判断装置において、終了点決定手段は、検出された圧力の変化量が所定値以下となった時点付近の平均圧力値を示す終了点補正圧力値と、検出された圧力の値が、補正開始点以後最初に終了点補正圧力値に達した時刻、又は、検出された圧力の移動平均値が、補正開始点以後最初に終了点補正圧力値に達した時刻とから、補正終了点を決定することが好ましい。
【００１３】
この判断装置によれば、検出された圧力の変化量が所定値以下となった時点付近の平均圧力値を示す終了点補正圧力値と、検出された圧力の値が、補正開始点以後最初に終了点補正圧力値に達した時刻とから、補正終了点を決定する。又は、検出された圧力の移動平均値が、前記補正開始点以後最初に終了点補正圧力値に達した時刻とから、補正終了点を決定する。このため、圧力の変化量が所定値以下となる圧力変動がほぼ無くなった安定状態の圧力値を終了補正圧力値として求め、安定状態になった圧力値にいち早く達した時刻を求めることとなる。従って、圧力が低下して安定しつつある時点を補正終了点として決定することができる。
【００１４】
また、本発明の判断装置において、終了点決定手段は、検出された圧力の変化量が所定値以下となった時点付近の平均圧力値を示す終了点補正圧力値と、予め特定時刻を定めておき、検出された圧力の値が、特定時刻の最も近くで終了点補正圧力値に達した時刻、又は、検出された圧力の移動平均値が、特定時刻の最も近くで終了点補正圧力値に達した時刻とから、補正終了点を決定することが好ましい。
【００１５】
この判断装置によれば、検出された圧力の変化量が所定値以下となった時点付近の平均圧力値を示す終了点補正圧力値と、予め特定時刻を定めておき、検出された圧力の値が、前記特定時刻の最も近くで終了点補正圧力値に達した時刻とから、補正終了点を決定する。又は、検出された圧力の移動平均値が、前記特定時刻の最も近くで終了点補正圧力値に達した時刻とから、補正終了点を決定する。このため、圧力の変化量が所定値以下となる圧力変動がほぼ無くなった安定状態の圧力値を終了補正圧力値として求めることとなる。また、安定状態になった圧力値に達した時刻のうち予め定められた特定時刻に最も近い時刻を求めることとなり、低下成分がほぼ無くなると予測される時刻を特定時刻としておけば、圧力が低下して安定しつつある時点をいち早く補正終了点として決定することができる。
【００１６】
また、本発明の判断装置において、前記補正基準値生成手段は、前記記憶手段により記憶された圧力値とその圧力値が得られた時刻との相関を示すグラフ上において、前記開始点決定手段により決定された補正開始点と前記終了点決定手段により決定された補正終了点とを結ぶ直線上の値を各時刻における補正基準値として生成し、前記補正手段は、前記記憶手段により記憶された各時刻における圧力値から、同時刻における前記直線上の値を減じることで補正することが好ましい。
【００１７】
この判断装置によれば、補正開始点と補正終了点とを結ぶ直線上の値を各時刻における補正基準値として生成するため、圧力値とその圧力値が得られた時刻との相関を示すグラフ上において直線を求める演算を行うだけで、各時刻における補正基準値を求めることができ、比較的少ない演算量で補正を行うことができる。
【００１８】
また、本発明の判断装置において、前記補正基準値生成手段は、前記開始点決定手段により決定された補正開始点と前記終了点決定手段により決定された補正終了点との中間地点の時刻、及びこの時刻付近の平均圧力値とから中間点を求め、前記記憶手段により記憶された圧力値とその圧力値が得られた時刻との相関を示すグラフ上において、補正開始点、中間点及び補正終了点を結ぶ曲線上の値を各時刻における補正基準値として生成し、前記補正手段は、前記記憶手段により記憶された各時刻における圧力値から、同時刻における前記曲線上の値を減じることで補正することが好ましい。
【００１９】
この判断装置によれば、中間点を求め、補正開始点と補正終了点とに加えて中間点を結ぶ曲線上の値を各時刻における補正基準値として生成するため、圧力値とその圧力値が得られた時刻との相関を示すグラフ上において中間点及び曲線を求める演算を行うだけで、各時刻における補正基準値を求めることができ、しかも曲線によってより正確に低下成分を除去した補正を行うことができる。
【００２０】
また、本発明の判断装置において、補正基準値生成手段は、開始点決定手段により決定された補正開始点と終了点決定手段により決定された補正終了点との間で計測された全圧力値のデータから、補正開始点を通る近似式を求め、この近似式上の値を各時刻における補正基準値として生成し、補正手段は、記憶手段により記憶された各時刻における圧力値から、同時刻における近似式上の値を減じることで補正することが好ましい。
【００２１】
この判断装置によれば、近似式上の値を各時刻における補正基準値として生成し、各時刻における圧力値から、同時刻における近似式上の値を減じることで補正するため、近似式により一層適切な補正を行うことができる。特に、近似式は補正開始点を通るものの、補正終了点を通るとは限らないため、補正終了点の時刻について誤りがあったとしてもこのズレを修正することができる。
【００２２】
また、本発明の判断装置において、補正基準値生成手段は、補正開始点以前及び補正終了点以後の少なくとも一方についても補正基準値を求め、補正開始点以前の補正基準値を求める場合には、グラフ上において補正開始点における圧力値を維持する直線上の値を補正基準値として生成し、補正終了点以後の補正基準値を求める場合には、グラフ上において補正終了点における圧力値を維持する直線上の値を補正基準値として生成することが好ましい。
【００２３】
この判断装置によれば、補正開始点以前及び補正終了点以後の少なくとも一方についても補正基準値を求めるため、補正開始点と補正終了点との圧力値を補正するのみならず、補正開始点以前及び補正終了点以後についても一括的に補正することができ、判断精度の向上に寄与することができる。
【００２４】
また、本発明の圧力値補正方法は、検出された各時刻の圧力値に基づいてガス器具の使用及びガス漏れを判断する判断装置の圧力値補正方法であって、検出された各時刻の圧力値を記憶する記憶工程と、前記記憶工程において記憶された各時刻の圧力値のうち、圧力変動の補正開始点を定める開始点決定工程と、前記記憶工程において記憶された各時刻の圧力値のうち、圧力変動の補正終了点を定める終了点決定工程と、前記開始点決定工程において決定された補正開始点と前記終了点決定工程において決定された補正終了点とに基づいて、各時刻における補正基準値を生成する補正基準値生成工程と、前記記憶工程により記憶された各時刻における圧力値から、前記補正基準値生成工程により生成された同時刻における前記補正基準値を減じることで補正する補正工程と、を有することを特徴とする。
【００２５】
この圧力値補正方法によれば、各時刻の圧力値のうち、圧力変動の補正開始点と補正終了点とを求め、これら補正開始点と補正終了点とに基づいて各時刻における補正基準値を求め、各時刻の圧力値から同時刻の補正基準値を減じることで補正する。ここで、ガス器具の使用やガス漏れが発生した場合、元圧から或る安定した圧力まで圧力値は低下する。配管内の圧力が上昇している場合とそうでない場合とでは、この低下成分に相異が生じる。そこで、上記補正開始点及び補正終了点を求めることにより、低下成分の始点と終点とを求めることとなる。そして、低下成分の始点と終点とから各時刻における補正基準値を求め、記憶された各時刻における圧力値から減じることで、配管内の圧力が上昇している場合とそうでない場合とで相異する低下成分をキャンセルすることとなる。これにより、補正後の各時刻における圧力値は、ガス管内の圧力が上昇している場合とそうでない場合とで似たものとすることができる。従って、ガス器具の使用判断やガス漏れ判断にあたり、低下成分の影響を受け難くなり、判断精度の低下を防止することができる。
【発明の効果】
【００２６】
本発明によれば、ガス器具の使用判断やガス漏れ判断にあたり、判断精度の低下を防止することが可能な判断装置及びその圧力値補正方法を提供することができる。
【発明を実施するための最良の形態】
【００２７】
以下、本発明の好適な実施形態を図面に基づいて説明する。図１は、本発明の実施形態に係る判断装置を含むガス供給システムの構成図である。ガス供給システム１は、ストーブ、ファンヒータ、給湯器及びガスコンロなどの各ガス器具１０に燃料ガスを供給するものであって、複数のガス器具１０と、ガス供給元の調整器２０と、配管３１，３２と、ガスメータ（判断装置）４０とを備えている。なお、図１に示す例では、ガスメータ４０を判断装置の一例として挙げるが、判断装置はガスメータ４０に限るものではない。
【００２８】
調整器２０は上流からの燃料ガスを所定圧力に調整して第１配管３１に流すものである。この調整器２０は、例えば燃料ガスを２．９ｋＰａ程度の圧力に調整して第１配管３１に流す構成となっている。第１配管３１は、調整器２０とガスメータ４０とを接続するものである。第２配管３２はガスメータ４０とガス器具１０とを接続する配管である。ガスメータ４０は、燃料ガスの流量を測定して積算流量を表示するものである。このようなガス供給システム１では、ガスメータ４０内に第１配管３１及び第２配管３２とつながる流路が形成されており、調整器２０を通じて流れてきた燃料ガスは第１配管３１からガスメータ４０、及び第２配管３２を通じてガス器具１０に到達し、ガス器具１０において燃焼されることとなる。
【００２９】
また、ガス器具１０は、概略的に、遮断弁１２、ガバナ１３、及びバーナー１４を備えている。遮断弁１２は、ガス器具１０に設けられた弁である。ガバナ１３は、ガバナ内弁１３ａを有し、ガス器具１０のバーナー１４に供給するガスの圧力をガバナ内弁１３ａの開度によって調整するものである。圧力調整された燃料ガスはガバナ１３の先端のノズル１３ｂを通じてバーナー１４に至り、燃焼することとなる。なお、ガス器具１０は、全てがガバナ１３を有しているわけでなく、ガスコンロなどのようにガバナ１３を有さないものもある。
【００３０】
図２は、図１に示したガバナ１３の一例を示す側方断面図である。なお、図２では、ガバナ１３の一例を示すに過ぎず、ガバナ１３の構成は図２に示すものに限られない。また、図２に示すガバナ１３については図１に示したノズル１３ｂを省略して図示する。
【００３１】
図２に示すようにガバナ１３は、外壁１３ｃとガバナキャップ１３ｄとによって形成される内部空間の一部をガス流路として用いるものである。このようなガバナ１３は、ガバナ内弁１３ａに加えて、内部空間に、ダイヤフラム１３ｅ、調整スプリング１３ｆ、及び調整ネジ１３ｇを備えている。
【００３２】
ダイヤフラム１３ｅは、ガバナ１３の内部空間を仕切る膜状の部材である。このダイヤフラム１３ｅには、一方側（流路側）にガバナ内弁１３ａが取り付けられている。また、ダイヤフラム１３ｅの他方側（流路として機能しない側）に調整スプリング１３ｆが取り付けられている。調整スプリング１３ｆは、一端にダイヤフラム１３ｅが取り付けられ、他端に調整ネジ１３ｇが取り付けられている。調整ネジ１３ｇは、ねじ切り溝が形成されたガバナ１３の内壁に固定される構造となっており、ねじ切り溝との固定位置を変化させることで調整スプリング１３ｆの圧縮率を変更可能となっている。また、調整ネジ１３ｇは外部にむき出しとなっておらず、ガバナキャップ１３ｄによって覆われた構造となっている。
【００３３】
また、ガバナ１３の外壁１３ｃには、ダイヤフラム１３ｅの他方側に通じる空気孔１３ｈが形成されている。このため、ダイヤフラム１３ｅの他方側は空気圧となっている。さらに、図２に示す例においてガバナ内弁１３ａは半球形状となっており、上下動によって通過口１３ｉの開口割合を制御可能となっている。
【００３４】
このようなガバナ１３では、ガス入側のガス圧が高くなると、ダイヤフラム１３ｅが上へ押し上げられ、同時にダイヤフラム１３ｅに取り付けられているガバナ内弁１３ａも上に引き上げられる。これにより、通過口１３ｉの開口割合が小さくなって、ガス流量が減少する。一方、ガス入側のガス圧が低くなると、ダイヤフラム１３ｅが下がり、同時にダイヤフラム１３ｅに取り付けられているガバナ内弁１３ａも下がる。これにより、通過口１３ｉの開口割合が大きくなって、ガス流量が増大する。このように、ガバナ１３は上流側の圧力の変動に対して下流側の流量を一定に保つことで、下流側の圧力を調整することとなる。
【００３５】
図３は、本発明の実施形態に係るガスメータ４０の構成図である。同図に示すように、本実施形態に係るガスメータ４０は、流量センサ４１と、圧力センサ４２と、マイコン４７とを備えている。
【００３６】
流量センサ４１は、ガスメータ４０内の流路に設置され、流路内のガス流量を検出するためのものである。本実施形態に係るガスメータ４０が超音波式のガスメータである場合、流量センサ４１は、流路内に一定距離だけ離れて配置された例えば圧電式振動子からなる２つの音響トランスジューサによって構成される。また、本実施形態に係るガスメータ４０がフローセンサなどの熱式センサを搭載したガスメータである場合、温度分布をつくり出すヒータと、その温度分布に応じた信号を発生させるサーモパイル等によって構成される。
【００３７】
圧力センサ４２は、ガスメータ４０内の流路内に存在するガスのガス圧を検出するためのものである。なお、圧力センサ４２は、ガスメータ４０内の流路に限らず、可能であればガスメータ４０の外部に存在する第１配管３１内や第２配管３２内に設置されていてもよい。同様に、流量センサ４１についても設置箇所については変更可能である。
【００３８】
なお、本実施形態では、図３において流量センサ４１及び圧力センサ４２からの信号が直接マイコン４７に入力されているが、場合によっては増幅器等の他の要素が両者間に追加されていてもよい。
【００３９】
マイコン４７は、ガスメータ４０の全体を制御するものであり、流量の積算制御、表示制御、遮断弁の遮断制御等を行うものである。また、本実施形態においてマイコン４７は、記憶部（記憶手段）４７ａと、判断部４７ｂとを備えている。記憶部４７ａは、圧力センサ４２を通じて検出された各時刻の圧力値を記憶するものである。記憶部４７ａに記憶される圧力値は、例えば最大で２秒程度のデータであり、約０．２〜５．０ミリ秒に１回の計測間隔で測定されたデータである。判断部４７ｂは、記憶部４７ａに記憶された各時刻の圧力値に基づいて、ガス器具１０の使用及びガス漏れを判断するものである。
【００４０】
ここで、判断部４７ｂによるガス器具１０の使用及びガス漏れの判断原理について説明する。図４は、ガバナ付きガス器具１０の使用を開始したときの圧力変化の様子を示すグラフである。なお、図４において縦軸は、圧力変化量（ｋＰａ）を示し、横軸はガバナ付きガス器具１０の使用を開始してからの経過時間（秒）を示している。
【００４１】
ガバナ付きガス器具１０の使用が開始された場合、圧力は、図４に示す所定の振幅を示した後に、安定状態となる。具体的には、ガバナ付きガス器具１０の使用開始直後に、一度「−０．１」ｋＰａ弱への圧力低下を示した後（符号ａ１参照）、約「０．０５」ｋＰａへの圧力上昇を示す（符号ａ２参照）。その後、圧力は約「−０．０５」ｋＰａ強への圧力低下を示した後に（符号ａ３参照）、約「０．０５」ｋＰａ弱への圧力上昇を示す（符号ａ４参照）。以後、徐々に振幅が小さくなりつつも圧力は振動を繰り返し、最終的には圧力変化がない安定状態となる。
【００４２】
このような圧力の振動が発生する理由は、ガバナ１３内に調整スプリング１３ｆが設けられているからである。すなわち、ガバナ付きガス器具１０の使用が開始されると、調整スプリング１３ｆが振動すると共に、ガバナ内弁１３ａについても振動し、通過口１３ｉの開口割合についても小刻みに大きくなったり小さくなったりと変化するからである。
【００４３】
特に、ガバナ付きガス器具１０の使用開始時においては、圧力振動の周波数や振幅に特徴が見られる。具体的には調整スプリング１３ｆが小刻みに振動することから、圧力について細かな振動を示すこととなる。この結果、圧力波形は比較的高い周波数成分を多く含むこととなる。また、ガバナ付きガス器具１０の使用開始時に調整スプリング１３ｆの振動によって通過口１３ｉが大きくなったり小さくなったりすることから、圧力波形は、大きな振幅を示す。
【００４４】
なお、圧力Ｐは、
【数１】
2010139282.tif 000003
なる演算式で表すことができる。ここで、Ｃは振幅を示し、ｋは摩擦力（減衰定数）を示し、ωは復元力を示し、αは初期位置を示している。この式は多くの周波数ｆｉ＝ωｉ／２πの振動の重ね合わせであることを示している。
【００４５】
図５は、ガバナ無しガス器具１０の使用を開始したときの圧力変化の様子を示すグラフである。なお、図５において縦軸は、圧力変化量（ｋＰａ）を示し、横軸はガバナ無しガス器具１０の使用を開始してからの経過時間（秒）を示している。
【００４６】
ガバナ無しガス器具１０の使用が開始された場合、圧力は、図５に示す所定の振幅を示した後に、安定状態となる。具体的には、ガバナ付きガス器具１０の使用開始直後に、一度「−０．１」ｋＰａ弱への圧力低下を示した後（符号ｂ１参照）、約「０．０１」ｋＰａへの圧力上昇を示す（符号ｂ２参照）。その後、圧力は約「−０．０５」ｋＰａ強への圧力低下を示す（符号ｂ３参照）。以後、圧力上昇が無い状態のまま、圧力は振動を繰り返す。そして、振幅が徐々に振幅が小さくなり、最終的には圧力変化がない安定状態となる。このような圧力の振動が発生する理由は、以下による。
【００４７】
図６は、ガバナ無しガス器具１０での燃料ガスの供給の様子を示す概略図である。図６に示すように、ガバナ無しガス器具１０が使用された場合、燃料ガスは第２配管３２からノズルホルダ１００を通じてバーナー１４等に至る。ここで、ノズルホルダ１００にある流速を持った気体が流入したときはその慣性力で急には流速が小さくならずに一端ガスが圧縮され圧力が上昇する。その後上昇した圧力により流入流速が小さく（場合によっては逆流）なって圧力が下がる。これを繰り返すことで圧縮膨張の振動が発生する。
【００４８】
以上のように、ガバナ付きガス器具１０の使用時と、ガバナ無しガス器具１０の使用時とでは、圧力は振動することとなる。しかしながら、図５に示す圧力波形を図４に示す圧力波形と比較すると、以下のような差異がある。
【００４９】
まず、ガバナ付きガス器具１０の場合、調整スプリング１３ｆのように細かく振動する物質を有しているのに対し、ガバナ無しガス器具１０の場合、そのような物質を有していない。このため、図５に示す圧力波形は、図４に示す圧力波形と同様に振動を示しているものの、全体として振動周波数が図４に示す圧力波形よりも低くなる。
【００５０】
さらに、ガバナ付きガス器具１０の場合、調整スプリング１３ｆの振動によって振幅が大きくなっているが、ガバナ付きガス器具１０の場合、調整スプリング１３ｆが無く、ノズルホルダ１００の圧縮性による振動が発生しているのみである。このため、図５に示す圧力波形は、図４に示す圧力波形よりも振幅が小さくなる。
【００５１】
このような特徴から、マイコン４７の判断部４７ｂは、ガバナ付きガス器具１０の使用であるか、ガバナ無しガス器具１０の使用であるか否かを判断できることとなる。
【００５２】
図７は、ガス漏れ時の圧力変化の様子を示すグラフである。なお、図７において縦軸は、圧力変化量（ｋＰａ）を示し、横軸はガス漏れが発生してからの経過時間（秒）を示している。
【００５３】
図７に示すように、ガス漏れが発生した場合、圧力は明確な振動を示すことなく緩やかに低下していくこととなる。このように、ガス漏れの場合、調整スプリング１３ｆの振動、及び、ノズルホルダ１００の圧縮性による振動の双方が発生しないため、圧力波形には明確な振動が見られない。
【００５４】
以上のように、ガバナ付きガス器具１０の使用開始時と、ガバナ無しガス器具１０の使用開始時と、ガス漏れ発生時とでは、圧力波形に特徴的な差異がある。マイコン４７の判断部４７ｂは、上記の特徴から、ガバナ付きガス器具１０の使用であるか、ガバナ無しガス器具１０の使用であるか、ガス漏れであるかを判断することができる。
【００５５】
しかしながら、日中にガスを未使用状態で放置していると配管３１，３２内の温度が上昇し、調整器２０からガス器具１０までの配管３１，３２内の圧力が上昇してしまう。圧力は、日中に約３℃温度が上昇することで１ｋＰａ程度上昇し、場合によって配管３１，３２内の圧力は４ｋＰａに達する可能性もある。そして、配管３１，３２内のガス圧力が上昇してしまうと、図４〜図７を参照して説明したようにガス圧力に基づいてガバナ付きガス器具が使用されたか否かなどを判断する場合に、判断精度の低下を招いてしまう。
【００５６】
ここで、以下の説明においてガス器具使用前やガス漏れ発生前など圧力変動前の配管３１，３２内の圧力を元圧と称する。
【００５７】
図８は、元圧が上昇している場合と上昇していない場合とにおけるガス器具１０の使用開始時の圧力波形を示すグラフである。元圧が上昇していない場合、ガス器具１０の使用開始前の圧力値は、約２．９５ｋＰａとなっている。そして、ガス器具１０が使用されると、圧力値は使用開始から所定の振動を示しながら１秒後には約２．８ｋＰａとなる。一方、元圧が上昇していた場合、ガス器具１０の使用開始前の圧力値は、約３．１７ｋＰａとなっている。そして、ガス器具１０が使用されると、圧力値は使用開始から所定の振動を示しながら１秒後には約２．８ｋＰａとなる。
【００５８】
このように、元圧が上昇している場合と上昇していない場合とでは、得られる圧力波形が相違してしまう。このような相違から、判断部４７ｂは、ガバナ付きガス器具が使用されたか否かなどを判断する場合に、判断を誤ってしまう可能性がある。
【００５９】
そこで、本実施形態に係るガスメータ４０では、圧力値を補正することとしている。再度、図３を参照する。図３に示すように、マイコン４７は、圧力値を補正するための構成として、開始点決定部（開始点決定手段）４７ｃ、終了点決定部（終了点決定手段）４７ｄ、補正基準値生成部（補正基準値生成手段）４７ｅ、及び補正部（補正手段）４７ｆを備えている。
【００６０】
ここで、本件出願人は、ガス器具１０が使用された場合、圧力値が安定するまでの区間（例えば図８の時間「０」〜「０．２」程度までの区間）において、圧力波形がある一定速度で低下する低下成分と、ある特定成分とからなっている点を見出した。ある特定成分とは、ガス器具１０の使用時には細かな振動成分となり、ガス漏れ発生時には明確に振動とは言えない成分となる。さらに、本件出願人は、元圧が上昇している場合と上昇していない場合とでは、低下成分が異なるが、特定成分には大きな差が見られない点を見出した。よって、本実施形態に係るガスメータ４０では、開始点決定部４７ｃ、終了点決定部４７ｄ、補正基準値生成部４７ｅ、及び補正部４７ｆの構成により、低下成分を除去して、特定成分を残すことにより、元圧が上昇した場合とそうでない場合とで同じような圧力波形を得て、判断精度が低下しないようにしている。
【００６１】
再度、図３を参照する。開始点決定部４７ｃは、記憶部４７ａに記憶された各時刻の圧力値のうち、圧力変動の補正開始点（すなわち低下成分の始点）を定めるものである。また、終了点決定部４７ｄは、記憶部４７ａに記憶された各時刻の圧力値のうち圧力変動の補正終了点（すなわち低下成分の終点）を定めるものである。
【００６２】
ここで、図９及び図１０を参照して、補正開始点及び補正終了点の決定方法について説明する。図９及び図１０は、図３に示した開始点決定部４７ｃ及び終了点決定部４７ｄにより決定される補正開始点及び補正終了点を示すグラフであり、図９は元圧が上昇している場合を示し、図１０は元圧が上昇していない場合を示している。
【００６３】
図９及び図１０に示すように、開始点決定部４７ｃは、圧力変化の発生時の圧力値（図９では３．１７ｋＰＡ、図１０では２．９５ｋＰａ）と、圧力変化の発生時の時刻（図９及び図１０共に時間０）とから、補正開始点Ａ１，Ａ２を決定する。
【００６４】
具体的に開始点決定部４７ｃは、圧力値が或る時間以内に所定量以上変化したときに、圧力変化が発生したと判断する。そして、例えば圧力変化発生前における所定時間分の圧力値の平均を算出して、圧力変化の発生時の圧力値（すなわち図９では３．１７ｋＰＡ、図１０では２．９５ｋＰａ）を決定する。また、開始点決定部４７ｃは、圧力変化が発生したと判断した時点を圧力変化の発生時の時刻として決定したり、圧力変化が発生したと判断した時点から遡って圧力が低下し始めた時点を求め、この時点を圧力変化の発生時の時刻として決定したりする。なお、圧力変化の発生時の圧力値や圧力変化の発生時の時刻の決定方法は、上記に限らず他の方法であってもよい。
【００６５】
また、終了点決定部４７ｄは、記憶部４７ａに記憶された圧力の変化量が所定値以下となった時点付近の平均圧力値（図９及び図１０共に約２．８２ｋＰａ）を終了点補正圧力値とし、この終了点補正圧力値と、検出された圧力の値が、補正開始点以後の最初に終了点補正圧力値に達した時刻（図９の時間０．２１付近）又は、検出された圧力の移動平均値が、補正開始点以後の最初に終了点補正圧力値に達した時刻（図１０の時間０．１３付近）とから、補正終了点Ｃ１，Ｃ２を決定する。
【００６６】
詳細に説明する。まず、終了点決定部４７ｄは、補正終了点Ｃ１，Ｃ２を決定するのに先だって、安定点Ｂ１，Ｂ２を求める。安定点Ｂ１，Ｂ２は、圧力変動が収まった点であって、具体的には或る時間内における圧力の変化量が所定値以下となった時刻（図９では約０．５８秒、図１０では約０．６８秒）、及びその時刻を中心とする前後所定時間分の圧力値の平均値（図９及び図１０共に約２．８２ｋＰａ）とから、決定される。そして、この平均値は、そのまま終了点補正圧力値となる。すなわち、安定点Ｂ１，Ｂ２の圧力値が補正終了点Ｃ１，Ｃ２の圧力値となる。
【００６７】
さらに、終了点決定部４７ｄは、安定点Ｂ１，Ｂ２から時間を遡っていくようにして、圧力値が補正開始点以後終了点補正圧力値（約２．８２ｋＰａ）に最初に達した時刻を求める。図９に示す例において、この時刻とは、時間０．２１付近である。このため、終了点決定部４７ｄは、圧力値が約２．８２ｋＰａで、時間０．２１である点を補正終了点Ｃ１として決定する。
【００６８】
また、図１０に示すようにして、終了点決定部４７ｄは、補正開始点以後、圧力の移動平均値が終了点補正圧力値（約２．８２ｋＰａ）に最初に達した時刻を求める。図１０に示す例において、この時刻とは、時間０．１３付近である。このため、終了点決定部４７ｄは、圧力値が約２．８２ｋＰａで、時間０．１３である点を補正終了点Ｃ２として決定する。
【００６９】
再度図３を参照する。補正基準値生成部４７ｅは、補正開始点Ａ１，Ａ２と補正終了点Ｃ１，Ｃ２とに基づいて、各時刻における補正基準値を生成するものである。補正部４７ｆは、記憶部４７ａにより記憶された各時刻における圧力値から、補正基準値生成部４７ｅにより生成された同時刻における補正基準値を減じることで補正するものである。
【００７０】
図９及び図１０を参照する。具体的に補正基準値生成部４７ｅは、図９及び図１０に示すように、記憶部４７ａに記憶された圧力値と、その圧力値が得られた時刻との相関を示すグラフ上において、補正開始点Ａ１，Ａ２と補正終了点Ｃ１，Ｃ２とを結ぶ直線上の値を補正基準値として生成する。そして、補正部４７ｆは、記憶部４７ａにより記憶された各時刻における圧力値から、直線上の値を減じることで補正する。
【００７１】
図１１は、元圧が上昇している場合と上昇していない場合とにおける補正後の圧力値を示すグラフである。図１１に示すように、各時刻における圧力値は、補正されて低下成分が除去されることにより、おおよそ似た波形となっている。すなわち、元圧が上昇していたとしても、上昇分はキャンセルされることとなり、補正後の波形はおおよそ似たものとなる。本実施形態において判断部４７ｂは、図１１に示すような補正後の圧力波形に基づいて、図４〜図７を参照して説明したような判断を行い、ガバナ付きガス器具１０が使用されているか否か、ガナバ無しガス器具１０が使用されているか否か、及び、ガス漏れが発生しているか否かを判断することとなる。
【００７２】
なお、上記において補正基準値生成部４７ｅはグラフ上に直線を求めているが、この直線は補正開始点Ａ１，Ａ２から補正終了点Ｃ１，Ｃ２までを結ぶ線分に限らず、図９及び図１０に示すように、補正開始点Ａ１，Ａ２以前及び補正終了点Ｃ１，Ｃ２以後について、補正基準値を求めておいてもよい。これにより、補正開始点Ａ１，Ａ２から補正終了点Ｃ１，Ｃ２まででなく、広範囲に亘って補正を行うことができるからである。
【００７３】
具体的に説明すると、補正基準値生成部４７ｅは、補正開始点Ａ１，Ａ２以前の補正基準値を求める場合には、グラフ上において補正開始点Ａ１，Ａ２における圧力値を維持する直線上の値を補正基準値として生成し、補正終了点Ｃ１，Ｃ２以後の補正基準値を求める場合には、グラフ上において補正終了点Ｃ１，Ｃ２における圧力値を維持する直線上の値を補正基準値として生成することとなる。なお、図９及び図１０に示す例では、補正開始点Ａ１，Ａ２以前及び補正終了点Ｃ１，Ｃ２以後の双方について補正基準値を求めているが、これに限らず、いずれか一方のみを求めるようにしてもよい。
【００７４】
また、上記した補正方法は一例に過ぎず、以下のようにしてもよい。例えば終了点決定部４７ｄは、圧力検出を開始してから予め定められた圧力検出時間が経過した時点付近の平均圧力値と、圧力検出時間が経過した時点の時刻とから、補正終了点を決定するようにしてもよい。具体的に説明すると、まず、圧力検出時間が約０．２秒であると予め定められているとする。この場合、終了点決定部４７ｄは、圧力検出を開始してから０．２秒経過した時点付近の平均圧力値を求める。そして、この平均圧力値と０．２秒の時点との条件を満たす補正終了点を決定する。
【００７５】
さらに、補正基準値生成部４７ｅは、グラフ上において、補正開始点Ａ１，Ａ２と補正終了点Ｃ１，Ｃ２とを結ぶ直線上の値を補正基準値として生成する場合に限らず、補正開始点Ａ１，Ａ２と補正終了点Ｃ１，Ｃ２とを結ぶ曲線上の値を補正基準値として生成するようにしてもよい。この場合、補正基準値生成部４７ｅは、まず、補正開始点Ａ１，Ａ２と補正終了点Ｃ１，Ｃ２との中間地点の時刻、及びこの時刻付近の平均圧力値とから中間点を求める。次いで、補正開始点Ａ１，Ａ２、中間点及び補正終了点Ｃ１，Ｃ２を結ぶ曲線（例えば２次曲線）を生成する。そして、補正基準値生成部４７ｅは、補正開始点Ａ１，Ａ２、中間点及び補正終了点Ｃ１，Ｃ２を結ぶ曲線上の値を各時刻における補正基準値とする。これにより、補正部４７ｆは、記憶された各時刻における圧力値から、同時刻における曲線上の値を減じることで補正することとなる。
【００７６】
次に、本実施形態に係るガスメータ４０の圧力値補正方法をフローチャートを参照して説明する。図１２は、本実施形態に係るガスメータ４０の圧力値補正方法を示すフローチャートである。
【００７７】
図１２に示すように、まずマイコン４７の記憶部４７ａは、圧力センサ４２を通じて検出された圧力値を記憶する（Ｓ１０）。次いで、マイコン４７は、計測終了か否かを判断する（Ｓ１１）。計測終了でないと判断した場合（Ｓ１１：ＮＯ）、記憶部４７ａは、圧力センサ４２を通じて検出された圧力値を再び記憶する（Ｓ１０）。
【００７８】
一方、計測終了と判断した場合（Ｓ１１：ＹＥＳ）、開始点決定部４７ｃは、図９及び図１０を参照したようにして補正開始点Ａ１，Ａ２を決定する（Ｓ１２）。その後、終了点決定部４７ｄは、図９及び図１０を参照したようにして補正終了点Ｃ１，Ｃ２を決定する（Ｓ１３）。
【００７９】
次に、補正基準値生成部４７ｅは、グラフ上において、補正開始点Ａ１，Ａ２と補正終了点Ｃ１，Ｃ２とを結ぶ直線上の値を補正基準値として生成する（Ｓ１４）。なお、この処理において補正基準値生成部４７ｅは、中間点を求めた後に曲線を求めて、曲線上の値を補正基準値として生成してもよい。
【００８０】
補正基準値の生成後、補正部４７ｆは、各時刻における圧力値から、同時刻における補正基準値を減算する（Ｓ１５）。その後、マイコン４７は、減算処理された圧力値のデータに基づいて、ガス器具１０の使用やガス漏れを判断する（Ｓ１６）。その後、マイコン４７は、ステップＳ１６の処理においてガス漏れ無しと判断されたか否かを判断する（Ｓ１７）。
【００８１】
ガス漏れ無しと判断されていた場合（Ｓ１７：ＹＥＳ）、図１２に示す処理は終了する。一方、ガス漏れ無しと判断されていなかった場合（Ｓ１７：ＮＯ）、すなわち、ガス漏れがあったと判断されていた場合、マイコン４７は、遮断弁を遮断すると共に、警報等を行う（Ｓ１８）。その後、図１２に示す処理は終了する。
【００８２】
図１３は、図１２に示したステップＳ１６の詳細を示すフローチャートであり、ガス器具１０の使用及びガス漏れ判断に関する処理を示している。図１３に示すように、まず、マイコン４７は、図１２のステップＳ１５において減算処理した圧力値の波形の周波数を分析すると共に（Ｓ３０）、振幅を分析する（Ｓ３１）。
【００８３】
その後、マイコン４７は、ステップＳ３０の分析結果に基づいて、波形内に判別値以上の周波数成分が規定値以上含まれるか否かを判断する（Ｓ３２）。判別値以上の周波数成分が規定値以上含まれると判断した場合（Ｓ３２：ＹＥＳ）、すなわち図４に示した圧力波形のようにある程度周波数が高い場合、マイコン４７は、ガバナ付きガス器具１０の使用であると判断する（Ｓ３３）。そして、図１３に示す処理は終了し、処理は図１２のステップＳ１７に移行する。
【００８４】
また、波形内に判別値以上の周波数成分が規定値以上含まれないと判断した場合（Ｓ３２：ＮＯ）、マイコン４７は、第１の山の振幅値（すなわち圧力が変化してから最初に振幅が正方向に大きくなったときの最大値、又は、全体を通して最も振幅が正方向に大きくなったときの値）が元圧（図４等の縦軸で「０」の圧力）に所定量を加えた値以上であるか否かを判断する（Ｓ３４）。第１の山の振幅値が元圧に所定量を加えた値以上であると判断した場合（Ｓ３４：ＹＥＳ）、マイコン４７は、ガバナ付きガス器具１０の使用であると判断する（Ｓ３３）。そして、図１３に示す処理は終了し、処理は図１２のステップＳ１７に移行する。
【００８５】
一方、第１の山の振幅値が元圧に所定量を加えた値以上でないと判断した場合（Ｓ３４：ＮＯ）、マイコン４７は、第１の山の振幅値が元圧とほぼ同等の値（具体的には元圧±規定の値）であるか否かを判断する（Ｓ３５）。第１の山の振幅値が元圧とほぼ同等の値であると判断した場合（Ｓ３５：ＹＥＳ）、マイコン４７は、ガバナ無しガス器具１０の使用であると判断する（Ｓ３６）。そして、図１３に示す処理は終了し、処理は図１２のステップＳ１７に移行する。
【００８６】
また、第１の山の振幅値が元圧とほぼ同等の値でないと判断した場合（Ｓ３５：ＮＯ）、マイコン４７は、第１の山の振幅値が元圧に所定量を減算した値以下であるか否かを判断する（Ｓ３７）。第１の山の振幅値が元圧に所定量を減算した値以下であると判断した場合（Ｓ３７：ＹＥＳ）、マイコン４７は、流量センサ４１からの信号に基づいて規定量以上の流量が検出されるか否かを判断する（Ｓ３８）。
【００８７】
規定量以上の流量が検出されると判断した場合（Ｓ３８：ＹＥＳ）、すなわち、ガス器具１０の使用による周波数及び振幅の特徴が得られず、流路内のガス圧が低下し、しかも規定量以上の流量が検出された場合、マイコン４７は、ガス漏れであると判断する（Ｓ３９）。そして、図１３に示す処理は終了し、処理は図１２のステップＳ１７に移行する。
【００８８】
ところで、第１の山の振幅値が元圧に所定量を減算した値以下でないと判断した場合（Ｓ３７：ＮＯ）、及び、規定量以上の流量が検出されないと判断した場合（Ｓ３８：ＮＯ）、マイコン４７は、ガス器具１０の使用及びガス漏れのいずれにも該当しないと判断する（Ｓ４０）。そして、図１３に示す処理は終了し、処理は図１２のステップＳ１７に移行する。
【００８９】
なお、ガス器具１０の使用及びガス漏れについては、図１３に示すものに限らず、例えば、他の方法によって判断されてもよい。例えば、マイコン４７は、ステップＳ３２又はステップＳ３４において「ＹＥＳ」と判断した場合、ガバナ付きガス器具１０の使用であると判断するが、これに限らず、ステップＳ３２及びステップＳ３４の双方において「ＹＥＳ」と判断した場合、ガバナ付きガス器具１０の使用であると判断してもよい。
【００９０】
また、マイコン４７は、圧力波形の減衰係数が予め定められた値以下である場合に、ガバナ付きガス器具１０の使用であると判断してもよい。さらに、マイコン４７は、第１の山の振幅値が、第１の谷の振幅値（すなわち圧力が変化してから最初に振幅が負方向に大きくなったときの最小値、又は、全体を通して最も振幅が負方向に大きくなったときの値）よりも小さい場合に、ガバナ付きガス器具１０の使用であると判断してもよい。さらには、上記した内容を各種組み合わせて、ガバナ付きガス器具１０の使用を判断してもよい。
【００９１】
このようにして、本実施形態に係るガスメータ４０及びその圧力値補正方法によれば、各時刻の圧力値のうち、圧力変動の補正開始点Ａ１，Ａ２と補正終了点Ｃ１，Ｃ２とを求め、これら補正開始点Ａ１，Ａ２と補正終了点Ｃ１，Ｃ２とに基づいて各時刻における補正基準値を求め、各時刻の圧力値から同時刻の補正基準値を減じることで補正する。ここで、ガス器具１０の使用やガス漏れが発生した場合、元圧から或る安定した圧力まで圧力値は低下する。元圧が上昇している場合とそうでない場合とでは、この低下成分に相異が生じる。そこで、上記補正開始点Ａ１，Ａ２及び補正終了点Ｃ１，Ｃ２を求めることにより、低下成分の始点と終点とを求めることとなる。そして、低下成分の始点と終点とから各時刻における補正基準値を求め、記憶された各時刻における圧力値から減じることで、元圧が上昇している場合とそうでない場合とで相異する低下成分をキャンセルすることとなる。これにより、補正後の各時刻における圧力値は、ガス管内の圧力が上昇している場合とそうでない場合とで似たものとすることができる。従って、ガス器具１０の使用判断やガス漏れ判断にあたり、低下成分の影響を受け難くなり、判断精度の低下を防止することができる。
【００９２】
また、圧力変動の発生時の圧力値と、圧力変動の発生時の時刻とから、補正開始点Ａ１，Ａ２を決定するため、複雑な演算を行うことなく、補正開始点Ａ１，Ａ２を決定することができる。特に、本実施形態では判断装置がガスメータ４０に内蔵されているため、演算量を少なくすることにより電池の長寿命化に寄与することができる。
【００９３】
また、圧力検出を開始してから予め定められた圧力検出時間が経過した時点付近の平均圧力値と、圧力検出時間が経過した時点の時刻とから、補正終了点Ｃ１，Ｃ２を決定するため、平均値の演算さえ行えば、複雑な演算を行うことなく、補正終了点Ｃ１，Ｃ２を決定することができる。特に、本実施形態では判断装置がガスメータ４０に内蔵されているため、演算量を少なくすることにより電池の長寿命化に寄与することができる。
【００９４】
また、検出された圧力の変化量が所定値以下となった時点付近の平均圧力値を示す終了点補正圧力値と、検出された圧力の値が、補正開始点以後最初に終了点補正圧力値に達した時刻とから、補正終了点Ｃ１，Ｃ２を決定する。又は、検出された圧力の移動平均値が、前記補正開始点以後最初に終了点補正圧力値に達した時刻とから、補正終了点Ｃ１，Ｃ２を決定する。このため、圧力の変化量が所定値以下となる圧力変動がほぼ無くなった安定状態の圧力値を終了補正圧力値として求め、安定状態になった圧力値にいち早く達した時刻を求めることとなる。従って、圧力が低下して安定しつつある時点を補正終了点Ｃ１，Ｃ２として決定することができる。
【００９５】
また、補正開始点Ａ１，Ａ２と補正終了点Ｃ１，Ｃ２とを結ぶ直線上の値を各時刻における補正基準値として生成するため、圧力値とその圧力値が得られた時刻との相関を示すグラフ上において直線を求める演算を行うだけで、各時刻における補正基準値を求めることができ、比較的少ない演算量で補正を行うことができる。
【００９６】
また、中間点を求め、補正開始点Ａ１，Ａ２と補正終了点Ｃ１，Ｃ２とに加えて中間点を結ぶ曲線上の値を各時刻における補正基準値として生成するため、圧力値とその圧力値が得られた時刻との相関を示すグラフ上において中間点及び曲線を求める演算を行うだけで、各時刻における補正基準値を求めることができ、しかも曲線によってより正確に低下成分を除去した補正を行うことができる。
【００９７】
以上、実施形態に基づき本発明を説明したが、本発明は上記実施形態に限られるものではなく、本発明の趣旨を逸脱しない範囲で、変更を加えてもよい。例えば、本実施形態において圧力値は１ミリ秒に１回の計測間隔となっていたが、これに限らず、常時圧力センサ４２が駆動されて常時圧力が検出される状態、すなわち計測間隔が０．１ミリ秒となっていてもよい。
【００９８】
また、本実施形態において判断装置はガスメータ４０の内部構成として存在しているが、これに限らず、判断装置をガスメータ４０から取り出して構成してもよい。
【００９９】
また、本実施形態において補正終了点Ｃ１，Ｃ２は、補正開始点Ａ１，Ａ２に最も近いという条件のもとで決定されたが、これに限らず、補正開始点Ａ１，Ａ２に最も近いという条件を、予め特定時刻を定めておき、特定時刻に最も近いという条件に置き換えて補正終了点Ｃ１，Ｃ２を決定するようにしてもよい。図９及び図１０に示すように、補正終了点Ｃ１，Ｃ２は、グラフ上において０．３秒移行の時間帯に位置することはほぼあり得ない。このため、特定時間を例えば０．２秒などに設定しておくことにより、より正確な補正終了点Ｃ１，Ｃ２を決定することができるからである。
【０１００】
具体的に説明すると、終了点決定部４７ｄは、検出された圧力の変化量が所定値以下となった時点付近の平均圧力値を終了点補正圧力値とする。そして、終了点決定部４７ｄは、検出された圧力の値が、特定時刻（例えば０．２秒）の最も近くで終了点補正圧力値に達した時刻と、終了点補正圧力値とから補正終了点を決定する。又は、終了点決定部４７ｄは、検出された圧力の移動平均値が、特定時刻（例えば０．２秒）の最も近くで終了点補正圧力値に達した時刻と、終了点補正圧力値とから補正終了点を決定する。
【０１０１】
このような動作を行うことにより、圧力の変化量が所定値以下となる圧力変動がほぼ無くなった安定状態の圧力値を終了補正圧力値として求めることとなる。また、安定状態になった圧力値に達した時刻のうち予め定められた特定時刻に最も近い時刻を求めることとなり、低下成分がほぼ無くなると予測される時刻を特定時刻としておけば、圧力が低下して安定しつつある時点をいち早く補正終了点Ｃ１，Ｃ２として決定することができる。
【０１０２】
さらに、本実施形態において補正基準値生成部４７ｅは、開始点決定部４７ｃにより決定された補正開始点Ａ１，Ａ２と終了点決定部４７ｄにより決定された補正終了点Ｃ１，Ｃ２との間で計測された全圧力値のデータから、補正開始点Ａ１，Ａ２を通る近似式を求め、この近似式上の値を各時刻における補正基準値として生成し、補正部４７ｆは、記憶部４７ａにより記憶された各時刻における圧力値から、同時刻における近似式上の値を減じることで補正するようにしてもよい。このようにすることによって、近似式により一層適切な補正を行うことができるからである。特に、近似式は補正開始点Ａ１，Ａ２を通るものの、補正終了点Ｃ１，Ｃ２を通るとは限らないため、補正終了点Ｃ１，Ｃ２の時刻について誤りがあったとしてもこのズレを修正することができるからである。
【０１０３】
ここで、近似式の算出方法の一例について説明する。図１４は、近似式の算出方法の一例を示す概念図である。まず、開始点決定部４７ｃ及び終了点決定部４７ｄは、上記と同様にして補正開始点Ａ１及び補正終了点Ｃ１を求める。このとき、補正開始点Ａ１の座標を（０，Ｐｓ）とし、補正終了点Ｃ１の座標を（ｔ０，Ｐｅ）とする。なお、Ｐｓはスタート時の圧力、すなわち元圧であり、Ｐｅは安定時の圧力である。また、ｔ０は、安定時圧力に達した最初の時刻とする。このような、補正開始点Ａ１と補正終了点Ｃ１とが求められている場合において、補正基準値生成部４７ｅは、Ｐ＝Ｐｓ−（Ｐｓ−Ｐｅ）・{１−ｅｘｐ（−ｔ／０．６３２・ｔ０）}なる減衰曲線の式を当てはめる。そして、補正部４７ｆは、記憶部４７ａにより記憶された各時刻における圧力値から、同時刻における減衰曲線の式上の値Ｐを減じることで補正することとなる。
【図面の簡単な説明】
【０１０４】
【図１】本発明の実施形態に係る判断装置を含むガス供給システムの構成図である。
【図２】図１に示したガバナの一例を示す側方断面図である。
【図３】本発明の実施形態に係るガスメータの構成図である。
【図４】ガバナ付きガス器具の使用を開始したときの圧力変化の様子を示すグラフである。
【図５】ガバナ無しガス器具の使用を開始したときの圧力変化の様子を示すグラフである。
【図６】ガバナ無しガス器具での燃料ガスの供給の様子を示す概略図である。
【図７】ガス漏れ時の圧力変化の様子を示すグラフである。
【図８】元圧が上昇している場合と上昇していない場合とにおけるガス器具の使用開始時の圧力波形を示すグラフである。
【図９】図３に示した開始点決定部及び終了点決定部により決定される補正開始点及び補正終了点を示すグラフであり、配管内の圧力が上昇している場合を示している。
【図１０】図３に示した補正開始点決定部及び終了点決定部により決定される補正開始点及び補正終了点を示すグラフであり、元圧が上昇していない場合を示している。
【図１１】元圧が上昇している場合と上昇していない場合とにおける補正後の圧力値を示すグラフである。
【図１２】本実施形態に係るガスメータの圧力値補正方法を示すフローチャートである。
【図１３】図１２に示したステップＳ１６の詳細を示すフローチャートであり、ガス器具の使用及びガス漏れ判断に関する処理を示している。
【図１４】近似式の算出方法の一例を示す概念図である。
【符号の説明】
【０１０５】
１…ガス供給システム
１０…ガス器具
１２…遮断弁
１３…ガバナ
１３ａ…ガバナ内弁
１３ｂ…ノズル
１３ｃ…外壁
１３ｄ…ガバナキャップ
１３ｅ…ダイヤフラム
１３ｆ…調整スプリング
１３ｇ…調整ネジ
１３ｈ…空気孔
１４…バーナー
２０…調整器
３１…第１配管
３２…第２配管
４０…ガスメータ（判断装置）
４１…流量センサ
４２…圧力センサ
４７…マイコン
４７ａ…記憶部（記憶手段）
４７ｂ…判断部
４７ｃ…開始点決定部（開始点決定手段）
４７ｄ…終了点決定部（終了点決定手段）
４７ｅ…補正基準値生成部（補正基準値生成手段）
４７ｆ…補正部（補正手段）
【図１】
2010139282.tif 000004
【図２】
2010139282.tif 000005
【図３】
2010139282.tif 000006
【図４】
2010139282.tif 000007
【図５】
2010139282.tif 000008
【図６】
2010139282.tif 000009
【図７】
2010139282.tif 000010
【図８】
2010139282.tif 000011
【図９】
2010139282.tif 000012
【図１０】
2010139282.tif 000013
【図１１】
2010139282.tif 000014
【図１２】
2010139282.tif 000015
【図１３】
2010139282.tif 000016
【図１４】
2010139282.tif 000017